【手続補正書】
【提出日】平成30年10月17日(2018.10.17)
【手続補正１】
【補正対象書類名】特許請求の範囲
【補正対象項目名】全文
【補正方法】変更
【補正の内容】
【特許請求の範囲】
【請求項１】
印刷媒体上に色材を含む画像形成材が記録された印刷物であって、
第１色を表現する色材が表面に記録された凸部と、前記第１色とは異なる第２色を表現する色材が表面に記録された凹部と、が交互に繰り返す構造を表面に有し、
前記凸部と前記凹部とが繰り返す方向と同一の回転角である第１方向から観察された場合に、特定の第３色が視認され、前記第１方向とは回転角が同一であり仰角が異なる第２方向から観察された場合に、前記第３色とは前記第１色と前記第２色との混色度合いが異なる特定の第４色が視認されることを特徴とする印刷物。
【請求項２】
前記凸部の表面に、前記画像形成材のうち前記第１色を表現する色材から成る第１層を有し、
前記凹部に、前記画像形成材のうち前記第２色を表現する色材から成る第２層を有し、
前記凸部は、前記第１方向と同一の回転角であり前記印刷媒体の表面の法線方向とは異なる方向から観察された場合に、前記第２層の一部を遮蔽する高さを有することを特徴とする請求項１に記載の印刷物。
【請求項３】
前記印刷媒体上に前記第１色を表現する色材により形成された第１層と、
前記印刷媒体上に前記第２色を表現する色材により形成された第２層と、
を有し、
前記第１層と前記第２層とは、前記印刷媒体の平面上で交互に繰り返し配置され、
前記第１層は、前記第１方向と同一の回転角であり前記印刷媒体の表面の法線方向とは異なる方向から観察された場合に、前記第２層の一部を遮蔽する高さを有することを特徴とする請求項１に記載の印刷物。
【請求項４】
前記第３色及び前記第４色は、前記第１色と前記第２色との混色度合いのみに応じて決まる色であることを特徴とする請求項１乃至請求項３のいずれか一項に記載の印刷物。
【請求項５】
前記第３色及び前記第４色を生成する第１色と第２色との混色において、前記第１色は前記第２色よりも比率が高いことを特徴とする請求項１乃至請求項４のいずれか一項に記載の印刷物。
【請求項６】
前記凸部と前記凹部とが交互に繰り返す構造は、万線パターンとなるように、前記印刷媒体上に配置されていることを特徴とする請求項１乃至請求項５の何れか一項に記載の印刷物。
【請求項７】
前記万線パターンは、前記第１方向と前記第２方向とに応じた方向の万線パターンであることを特徴とする請求項６に記載の印刷物。
【請求項８】
前記凸部と前記凹部とのうち少なくとも凸部は、クリア色材又はホワイト色材によって形成されていることを特徴とする請求項１乃至請求項７のいずれか一項に記載の印刷物。
【請求項９】
印刷媒体上の凹凸の上に色材を記録することによって、異なる方向から観察した場合に異なる色が視認される印刷物を形成するために、前記色材の量を決定する画像処理装置であって、
前記印刷物を第１観察方向から観察した場合に視認される第１色を表す第１色情報を取得する第１取得手段と、
前記印刷物を前記第１観察方向とは異なる第２観察方向から観察した場合に視認され、前記第１色とは異なる第２色を表す第２色情報を取得する第２取得手段と、
前記第１色情報と第２色情報とに基づいて、前記凹凸の凹部の上に記録する第１色材量と前記凹凸の凸部の上に記録する第２色材量とを決定する決定手段と、
を有することを特徴とする画像処理装置。
【請求項１０】
前記凹凸は、凸部と凹部とが繰り返す構造であることを特徴とする請求項９に記載の画像処理装置。
【請求項１１】
前記凹凸は、万線パターンで配置された構造であることを特徴とする請求項１０に記載の画像処理装置。
【請求項１２】
前記凹凸の高さを表すデータを取得する第３取得手段をさらに有し、
前記決定手段は、さらに前記データに基づいて、前記第１色材量と前記第２色材量とを決定することを特徴とする請求項９乃至請求項１１のいずれか一項に記載の画像処理装置。
【請求項１３】
前記第１取得手段は、さらに、前記第１観察方向を取得し、
前記第２取得手段は、さらに、前記第２観察方向を取得し、
前記決定手段は、さらに前記第１観察方向と前記第２観察方向とに基づいて、前記第１色材量と前記第２色材量とを決定することを特徴とする請求項９乃至請求項１２のいずれか一項に記載の画像処理装置。
【請求項１４】
前記第１記録量と前記第２記録量とを、前記印刷物を形成するためのプリントデータとして、画像形成装置に出力する出力手段をさらに有することを特徴とする請求項９乃至請求項１３のいずれか一項に記載の画像処理装置。
【請求項１５】
前記凹凸は、クリア色材またはホワイト色材によって形成されることを特徴とする請求項９乃至請求項１４のいずれか一項に記載の画像処理装置。
【請求項１６】
前記第１取得手段と前記第２取得手段とは、前記第１色情報と前記第２色情報とをユーザ指示により取得することを特徴とする請求項９乃至請求項１５のいずれか一項に記載の画像処理装置。
【請求項１７】
前記第１観察方向と前記第２観察方向とのベクトル演算を行う演算手段をさらに有し、
前記第３取得手段は、前記ベクトル演算の結果に基づき前記データを取得することを特徴とする請求項１２に記載の画像処理装置。
【請求項１８】
コンピュータを、請求項９乃至請求項１７のいずれか一項に記載された画像処理装置の各手段として機能させることを特徴とするプログラム。
【請求項１９】
印刷媒体上の凹凸の上に色材を記録することによって、異なる方向から観察した場合に異なる色が視認される印刷物を形成するために、前記色材の量を決定する画像処理方法であって、
前記印刷物を第１観察方向から観察した場合に視認される第１色を表す第１色情報を取得する第１取得工程と、
前記印刷物を前記第１観察方向とは異なる第２観察方向から観察した場合に視認され、前記第１色とは異なる第２色を表す第２色情報を取得する第２取得工程と、
前記第１色情報と第２色情報とに基づいて、前記凹凸の凹部の上に記録する第１色材量と前記凹凸の凸部の上に記録する第２色材量とを決定する決定工程と、
を有することを特徴とする画像処理方法。
【手続補正２】
【補正対象書類名】明細書
【補正対象項目名】０００６
【補正方法】変更
【補正の内容】
【０００６】
上記課題を解決するために、本発明に係る印刷物は、印刷媒体上に色材を含む画像形成材が記録された印刷物であって、第１色を表現する色材が表面に記録された凸部と、前記第１色とは異なる第２色を表現する色材が表面に記録された凹部と、が交互に繰り返す構造を表面に有し、前記凸部と前記凹部とが繰り返す方向と同一の回転角である第１方向から観察された場合に、特定の第３色が視認され、前記第１方向とは回転角が同一であり仰角が異なる第２方向から観察された場合に、前記第３色とは前記第１色と前記第２色との混色度合いが異なる特定の第４色が視認されることを特徴とする。
【手続補正３】
【補正対象書類名】明細書
【補正対象項目名】０００７
【補正方法】変更
【補正の内容】
【０００７】
また、上記課題を解決するために、本発明に係る画像処理装置は、印刷媒体上の凹凸の上に色材を記録することによって、異なる方向から観察した場合に異なる色が視認される印刷物を形成するために、前記色材の量を決定する画像処理装置であって、前記印刷物を第１観察方向から観察した場合に視認される第１色を表す第１色情報を取得する第１取得手段と、前記印刷物を前記第１観察方向とは異なる第２観察方向から観察した場合に視認され、前記第１色とは異なる第２色を表す第２色情報を取得する第２取得手段と、前記第１色情報と第２色情報とに基づいて、前記凹凸の凹部の上に記録する第１色材量と前記凹凸の凸部の上に記録する第２色材量とを決定する決定手段と、を有することを特徴とする。
【手続補正４】
【補正対象書類名】明細書
【補正対象項目名】０００８
【補正方法】変更
【補正の内容】
【０００８】
また、上記課題を解決するために、本発明に係る画像処理方法は、印刷媒体上の凹凸の上に色材を記録することによって、異なる方向から観察した場合に異なる色が視認される印刷物を形成するために、前記色材の量を決定する画像処理方法であって、前記印刷物を第１観察方向から観察した場合に視認される第１色を表す第１色情報を取得する第１取得工程と、前記印刷物を前記第１観察方向とは異なる第２観察方向から観察した場合に視認され、前記第１色とは異なる第２色を表す第２色情報を取得する第２取得工程と、前記第１色情報と第２色情報とに基づいて、前記凹凸の凹部の上に記録する第１色材量と前記凹凸の凸部の上に記録する第２色材量とを決定する決定工程と、を有することを特徴とする。